Podtech/llm-jp-corpus-v4-ja_patent huggingface dataset:
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
抗微生物剤をコードする第１核酸配列及び保護ペプチドをコードするDNA配列を含んでなり、当該保護ペプチド中に含有されるアミノ酸残基の少なくとも50%がD (Asp) および/またはE (Glu) である、組換え微生物宿主細胞。
【請求項２】
異種性酵素をコードする第２核酸配列を更に含んでなる、請求項１に記載の宿主細胞。
【請求項３】
前記第１核酸配列および/または第２核酸配列が宿主細胞の染色体中に組込まれている、請求項２に記載の宿主細胞。
【請求項４】
前記第１核酸配列が第１ DNA構築物中に組込まれており、そして前記第２核酸配列が第２ DNA構築物中に組込まれている、請求項２に記載の宿主細胞。
【請求項５】
前記第１および第２核酸配列を組込んでいる第３ DNA構築物をさらに含んでなる、請求項４に記載の宿主細胞。
【請求項６】
請求項１に記載の組換え宿主細胞を培養して前記DNA構築物の発現を得る、ことを含んでなる、抗微生物ペプチドの製造方法。
【請求項７】
前記保護ペプチドが前記抗微生物ペプチドを一時的に不活性化する、請求項６に記載の方法。
【請求項８】
前記保護ペプチドを前記抗微生物ペプチドから切り離すことを更に含んでなる、請求項６に記載の方法。
【請求項９】
前記の切り離しにより前記抗微生物ペプチドが再活性化される、請求項８に記載の方法。
【請求項１０】
前記抗微生物ペプチドを回収することを更に含んでなる、請求項６に記載の方法。
【請求項１１】
前記保護ペプチドが合成（人為的）ペプチドである、請求項６に記載の方法。
【請求項１２】
請求項２に記載の組換え宿主細胞を培養して前記DNA構築物の発現を得ることを含んでなる、抗微生物ペプチドおよび酵素の製造方法。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
青色光を吸収可能な医療デバイスを作製するためのプロセスであって、該プロセスは、以下：
遊離反応基を有する未仕上げシリコーンの表面を有する医療デバイスを、１つ以上の反応染料および１つ以上の触媒を含む溶液へ曝露する工程、および
該曝露された医療デバイスを加熱する工程、
を包含する、プロセス。
【請求項２】
前記遊離反応基が遊離ヒドロシリル基である、請求項１に記載のプロセス。
【請求項３】
前記医療デバイスが、コンタクトレンズ、人工角膜、水晶体嚢拡張リング、角膜インレー、および角膜リングからなる群より選択される、請求項１に記載のプロセス。
【請求項４】
前記医療デバイスが、眼内リングである、請求項１に記載のプロセス。
【請求項５】
前記反応染料が有するエチレン性不飽和基が、ビニル、アリル、アクリレート、メタクリレート、アクリルアミド、メタクリルアミド、フマレート、マレアート、イタコネート、スチレンおよびニトリルからなる群より選択される、請求項１に記載のプロセス。
【請求項６】
前記触媒が、白金（３％〜３．５％）−ジビニルテトラメチルジシロキサン錯体および白金（３％〜３．５％）−シクロビニルメチルシロキサン錯体からなる群より選択される、請求項１に記載のプロセス。
【請求項７】
前記触媒が白金触媒である、請求項１に記載のプロセス。
【請求項８】
前記加熱が、約１００℃未満の温度にて行われる、請求項１に記載のプロセス。
【請求項９】
前記加熱が、約１２０分間以下の間行われる、請求項１に記載のプロセス。
【請求項１０】
前記触媒が１つ以上のインヒビターを含有する、請求項１に記載のプロセス。
【請求項１１】
医療デバイスであって、
該医療デバイスが青色光吸収特性を有するように、少なくとも１つの反応染料から本質的になるコーティングを備え、
ここで、該少なくとも１つの反応染料は、加熱の際に該医療デバイスの未仕上げシリコーン表面と反応し、かつ該医療デバイスに共有結合される、医療デバイス。
【請求項１２】
エチレン性不飽和基を有する前記少なくとも１つの反応染料が、ビニル、アリル、アクリレート、メタクリレート、アクリルアミド、メタクリルアミド、フマレート、マレアート、イタコネート、スチレンおよびニトリルからなる群より選択される、請求項１１に記載の医療デバイス。
【請求項１３】
前記反応染料が反応性黄色染料である、請求項１１に記載の医療デバイス。
【請求項１４】
前記反応染料が、１個または２個のいずれかのエチレン性不飽和基を有する、請求項１１に記載の医療デバイス。
【請求項１５】
前記反応染料が、Ｎ，Ｎ−ビス−（２−アリルカルバメートエチル）−（４’−フェニルアゾ）アニリンおよびＮ，Ｎ−ビス−（２−ビニルアセトキシエチル） −（４’−フェニルアゾ）アニリンおよびＮ−２−［３’−（２”−メチルフェニルアゾ）−４’−ヒドロキシフェニル］エチルビニルアセトアミドからなる群より選択される、請求項１１に記載の医療デバイス。
【請求項１６】
前記反応染料が、該医療デバイスとのヒドロシリル化反応を起こす、請求項１１に記載の医療デバイス。
【請求項１７】
前記反応染料が、前記医療デバイスの表面を、部分的または完全にコーティングする、請求項１１に記載の医療デバイス。
【請求項１８】
眼内レンズであって、
該眼内レンズが青色光吸収特性を有するように、少なくとも１つの反応性アゾ染料でから本質的になるコーティングであって、
該少なくとも１つの反応性アゾ染料は、加熱の際に未仕上げシリコーン眼内レンズと反応し、該眼内レンズに共有結合される、眼内レンズ。
【請求項１９】
前記反応性アゾ染料が少なくとも１つのエチレン性不飽和基を有し、該エチレン性不飽和基が、ビニル、アリル、アクリレート、メタクリレート、アクリルアミド、メタクリルアミド、フマレート、マレアート、イタコネート、スチレンおよびニトリルからなる群より選択される、請求項１８に記載の眼内レンズ。
【請求項２０】
前記反応性アゾ染料が反応性黄色染料である、請求項１８に記載の眼内レンズ。
【請求項２１】
前記反応性アゾ染料が、Ｎ，Ｎ−ビス−（２−アリルカルバメートエチル）−（４’−フェニルアゾ）アニリンおよびＮ，Ｎ−ビス−（２−ビニルアセトキシエチル）−（４’−フェニルアゾ）アニリンおよびＮ−２−［３’−（２”−メチルフェニルアゾ）−４’−ヒドロキシフェニル］エチルビニルアセトアミドからなる群より選択される、請求項１８に記載の眼内レンズ。
【請求項２２】
前記反応性アゾ染料が、前記眼内レンズでのヒドロシリル化反応を受ける、請求項１８に記載の眼内レンズ。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
ゲーム装置であって、
三次元ビデオ画像を発生可能なディスプレイ・ユニットであって、複数の表示画素を有する表示画面と、該表示画面と結合されたレンズ画面とを備えている、ディスプレイ・ユニットと、
値入力デバイスと、
前記ディスプレイ・ユニット及び前記値入力デバイスに動作的に結合されているコントローラであって、プロセッサと、該プロセッサに動作的に結合されているメモリとを備えている、コントローラと、
を備えており、
前記コントローラは、ポーカ、ブラックジャック、スロット、キーノ又はビンゴのゲームから、その１つに関係するゲーム表示を、前記ディスプレイ・ユニットに発生させるようにプログラムされており、
前記コントローラは、画像の複数の透視図の組み合わせに関する画像データを受け取り、前記複数の透視図を交錯して、同時に表示されるときに前記画像を形成するようにプログラムされており、
前記コントローラは、前記ディスプレイ・ユニットに、前記画像データから三次元表示を発生させ、前記三次元表示が、前記画像を第１角度から目視したときの、前記画像の第１透視図と、前記画像を第２角度から目視したときの、前記画像の第２透視図とを備えており、前記第１及び第２透視図を同時に表示させるようにプログラムされており、
前記コントローラは、前記ゲームの成果に伴う料金払戻を決定するようにプログラムされている
ことを特徴とするゲーム装置。
【請求項２】
請求項１記載のゲーム装置において、前記ディスプレイ・ユニットは、前記画像データから三次元ビデオ画像を発生可能なビデオ・ディスプレイ・ユニットから成ることを特徴とするゲーム装置。
【請求項３】
請求項１記載のゲーム装置において、前記ディスプレイ・ユニットは、平面パネル・ディスプレイ・ユニットであることを特徴とするゲーム装置。
【請求項４】
請求項１記載のゲーム装置において、前記レンズ画面は、前記表示画面と並列に整合されていることを特徴とするゲーム装置。
【請求項５】
請求項１記載のゲーム装置において、前記レンズ画面は、複数のレンズを備えている第１面と、実質的に平滑な面から成る第２面とを備えていることを特徴とするゲーム装置。
【請求項６】
請求項５記載のゲーム装置において、前記第２面は反射防止面から成ることを特徴とするゲーム装置。
【請求項７】
請求項５記載のゲーム装置において、前記表示画素の各々は、複数の列に配列された複数の副画素から成り、前記レンズの各々が前記列の１つと整合されていることを特徴とするゲーム装置。
【請求項８】
ゲーム方法であって、
ポーカ、ブラックジャック、スロット、キーノ又はビンゴのゲームから、その１つに関係するゲーム表示を、前記ディスプレイ・ユニットに発生させるステップと、
画像の複数の透視図の組み合わせに関する画像データを受け取り、前記複数の透視図を交錯して、同時に表示されるときに前記画像を形成するステップと、
前記画像データから三次元表示を発生するステップであって、前記三次元表示が、前記画像を第１角度から目視したときの前記画像の第１透視図と、前記画像を第２角度から目視したときの前記画像の第２透視図とを備えており、前記第１及び第２透視図を同時に表示するステップと、
前記ゲームの成果に伴う料金払戻を決定するステップと、
を備えていることを特徴とするゲーム方法。
【請求項９】
請求項８記載のゲーム方法において、該方法はさらに、前記ディスプレイ・ユニットに、前記ゲーム表示を前記三次元表示として前記画像データから発生させるステップを備えていることを特徴とするゲーム方法。
【請求項１０】
請求項８記載のゲーム方法において、該方法はさらに、前記画像の９個の透視図の組み合わせに関する画像データを受け取り、前記９個の透視図を交錯して、同時に表示するときに、前記画像を形成するステップを備えていることを特徴とするゲーム方法。
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
内部補強材および剛性終板のない、脊椎椎間板の形状に略類似した形状の移植可能な補綴装置であって、約１００キロパスカルよりも大きい極限引張強度を有する生体適合性エラストマーを備え、欠損せずに、少なくとも約０．０１Ｎｍの捩じれによって、上面と下面との間で少なくとも２ーの回動を可能にする柔軟性を呈していることを特徴とする補綴装置。
【請求項２】
１メガパスカルよりも大きい圧縮負荷に耐えるのに十分な極限圧縮強度を有していることを特徴とする請求項１に記載の補綴装置。
【請求項３】
約２５から５０重量％の量のポリビニルアルコール（ＰＶＡ）粉体と溶媒との成形配合物から形成される単一の固体エラストマークライオゲル材料で形成された冷凍−解凍成形体であることを特徴とする請求項１に記載の補綴装置。
【請求項４】
欠損せずに、少なくとも１Ｎｍの捩じれによって、上面と下面との間で少なくとも１０ーの回動を可能にする柔軟性を呈していることを特徴とする請求項１に記載の補綴装置。
【請求項５】
前記エラストマーは、１ＭＰａよりも大きく２０ＭＰａよりも小さい極限圧縮および引張強度を有していることを特徴とする請求項１に記載の補綴装置。
【請求項６】
補綴装置外側表面が、成形可能に固着させた繊維を含んでいることを特徴とする請求項１に記載の補綴装置。
【請求項７】
前記補綴装置表面の外側上面および下面が、メッシュを含んでいることを特徴とする請求項１に記載の補綴装置。
【請求項８】
関節のない単位体であり、前記単位体は単一の固体エラストマーで作製されており、隣接する椎体への固定用に前記固体エラストマー本体の上下に延びる上側および下側延長部を含んでいることを特徴とする請求項１に記載の補綴装置。
【請求項９】
脊椎局部への固定用に上向きおよび下向きに延びるタブを備える連続的繊維からなる外側リングを含んでいることを特徴とする請求項１に記載の補綴装置。
【請求項１０】
周面によって接合された上面および下面を有する、移植可能な関節のない総脊椎板置換物の脊椎板本体であって、生体適合性冷凍−解凍固体ヒドロゲルによって画定され、板本体内部に内部補強材はなく、約１００キロパスカルよりも大きい極限引張強度を有し、欠損せずに、少なくとも１Ｎｍの捩じれによって、上面と下面との間で少なくとも２ーの回動を可能にする柔軟性を呈し、剛性終板がなく、モノリシックな冷凍−解凍ポリビニルアルコール（ＰＶＡ）ヒドロゲルから本質的になることを特徴とするヒドロゲル移植可能な脊椎板本体。
【請求項１１】
冷凍−解凍固体ヒドロゲルと、本体外面に成形されそこから広がる繊維メッシュとから本質的になることを特徴とする請求項１０に記載の移植可能な脊椎板本体。
【請求項１２】
前記移植可能な脊椎板本体の周面を少なくとも部分的に包囲する固着用拡張帯部材と、
前記移植可能な脊椎板本体をそれぞれ隣接する上脊椎表面および下脊椎表面に固着させるために、前記固着用拡張帯部材から延びる上タブおよび下タブとをさらに備えていることを特徴とする請求項１１に記載の移植可能な脊椎板本体。
【請求項１３】
前記帯部材は、前記本体の軸方向に広がる周面に成形されていることを特徴とする請求項１２に記載の板。
【請求項１４】
その場における隣接する脊椎組織からの組織の内部成長を可能にするために、前記本体の上面および下面に固着させた多孔材料をさらに備えていることを特徴とする請求項１２に記載の板。
【請求項１５】
固体本体の外側表面上に存在するように成形可能に固着させた繊維メッシュと共に芯および輪を画定する単一の冷凍−解凍固体ＰＶＡクライオゲルから本質的になる固体本体を有する柔軟な総脊椎板置換物補綴装置であって、前記芯には内部補強材がなく、約１００キロパスカルよりも大きい極限引張強度を有し、関節がないことを特徴とする補綴装置。
【請求項１６】
前記本体は終板をもたず、少なくとも約１Ｎｍの捩じれによって、欠損せずに上面と下面との間で少なくとも１０ーの回動を可能にするのに十分な柔軟性を呈していることを特徴とする請求項１５に記載の柔軟な脊椎板補綴装置。
【請求項１７】
前記単位体の軸方向に広がる周面に固着させた非金属メッシュリングをさらに備えていることを特徴とする請求項１５に記載の柔軟な脊椎板補綴装置。
【請求項１８】
その場における隣接する脊椎組織からの組織の内部成長を可能にするために、前記単位体の上面および下面に固着させた多孔材料をさらに備えていることを特徴とする請求項１５に記載の柔軟な脊椎板補綴装置。
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
縫合システムであって、以下：
縫合デバイスであって、以下：
第１の組織係合部材であって、第１の端部、第２の端部および該第１の端部と該第２端部との間に配置される第１の中間部分を備える、第１の組織係合部材；
第２の組織係合部材であって、第３の端部、第４の端部および該第３の端部と該第４端部との間に配置される第２の中間部分を備える、第２の組織係合部材；ならびに
第１の相互連結部材であって、該第１の組織係合部材の第１の中間部分に連結される第１の固定端および該第２の組織係合部材に連結される第２の固定端を備える、第１の相互連結部材、
を備え、ここで該縫合デバイスが、連結された配置で患者に挿入可能である、縫合デバイス、
を含む、縫合システム。
【請求項２】
前記第１の相互連結部材の第２の固定端が、前記第２の組織係合部材の第２の中間部分に連結される、請求項１に記載の縫合システム。
【請求項３】
前記縫合デバイスが、前記第１の組織係合部材および第２の組織係合部材のうちの少なくとも１つに連結される第２の相互連結部材をさらに備える、請求項１に記載の縫合システム。
【請求項４】
前記縫合デバイスが、前記第２の相互連結部材に連結される第３の組織係合部材をさらに備える、請求項３に記載の縫合システム。
【請求項５】
前記縫合デバイスが、前記第１の相互連結部材の前記第１の固定端および前記第２の固定端のうちの少なくとも１つに連結される第３の組織係合部材をさらに備える、請求項１に記載の縫合システム。
【請求項６】
さらに、
細長部材であって、該細長部材は、近位端、遠位端、該近位端から該遠位端へ延びる壁、および該遠位端に配置される切断部材を備え、該壁は、該細長部材の近位端から該細長部材の遠位端へ延びるルーメンを規定し、そして該壁は、該細長部材の遠位端で開口部を規定する、細長部材、
を備え、ここで前記縫合デバイスが、該細長部材の該ルーメン内に配置される、請求項１に記載の縫合システム。
【請求項７】
前記細長部材が、該細長部材の遠位端に配置される退却可能なゲート部材をさらに備える、請求項６に記載の縫合システム。
【請求項８】
前記細長部材のルーメン内に配置される送達部材をさらに、備える、請求項６に記載の縫合システム。
【請求項９】
前記送達部材が、前記縫合デバイスに取り外し可能に連結される、請求項８に記載の縫合システム。
【請求項１０】
前記第１の組織係合部材が、該第１の組織係合部材の前記第１の端部から前記第２の端部へ延びる第１のルーメンをさらに備え、そして前記第２の組織係合部材が、該第２の組織係合部材の前記第３の端部から前記第４の端部へ延びる第２のルーメンをさらに備える、請求項１に記載の縫合システム。
【請求項１１】
さらに、
細長部材であって、該細長部材は、近位端、遠位端、該近位端から該遠位端へ延びる壁、および該遠位端に配置される切断部材を備える、細長部材、
を備え、ここで該細長部材は、前記第１の組織係合部材の第１のルーメン内でかつ前記第２の組織係合部材の第２のルーメン内に配置される、請求項１０に記載の縫合システム。
【請求項１２】
前記第１の組織係合部材および第２の組織係合部材のうちの少なくとも１つが、実質的に円筒状である、請求項１に記載の縫合システム。
【請求項１３】
前記第１の組織係合部材および第２の組織係合部材のうちの少なくとも１つの少なくとも１つの端部が、丸められている、請求項１に記載の縫合システム。
【請求項１４】
前記第１の相互連結部材が、応力を受けていない位置と変形位置との間で往復運動可能である、請求項１に記載の縫合システム。
【請求項１５】
前記第１の相互連結部材が、伸張可能な材料を含む、請求項１に記載の縫合システム。
【請求項１６】
前記第１の組織係合部材および前記第２の組織係合部材ならびに前記第１の相互連結部材のうちの少なくとも１つが、組織増殖を刺激するための材料を含む、請求項１に記載の縫合システム。
【請求項１７】
前記組織増殖を刺激するための材料が、コラーゲンを含む、請求項１６に記載の縫合システム。
【請求項１８】
前記第１の組織係合部材および第２の組織係合部材ならびに前記第１の相互連結部材のうちの少なくとも１つが、生物吸収可能な材料を含む、請求項１に記載の縫合システム。
【請求項１９】
前記生物吸収可能な材料が、ポリ乳酸を含む、請求項１８に記載の縫合システム。
【請求項２０】
縫合デバイスであって、該縫合デバイスは、
第１の組織係合部材；
第２の組織係合部材；
第１の相互連結部材であって、該第１の組織係合部材を該第２の組織係合部材に連結する、第１の相互連結部材；および
該第１の組織係合部材に連結される第１のアンカー、
を備える、縫合デバイス。
【請求項２１】
前記第２の組織係合部材に連結される第２のアンカーをさらに備える、請求項２０に記載の縫合デバイス。
【請求項２２】
前記第１のアンカーおよび前記第２のアンカーのうちの少なくとも１つが、螺旋状組織アンカーである、請求項２１に記載の縫合デバイス。
【請求項２３】
前記第１のアンカーおよび前記第２のアンカーのうちの少なくとも１つが、かかりのある組織アンカーである、請求項２１に記載の縫合デバイス。
【請求項２４】
前記第１の相互連結部材および前記第２の相互連結部材は、前記第１の組織係合部材および前記第２の組織係合部材のうちの少なくとも１つの対向する表面に連結される、請求項３に記載の縫合システム。
【請求項２５】
前記第１の組織係合部材および前記第３の組織係合部材が十字を形成する、請求項５に記載の縫合システム。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
主要量のプロピレングリコール（Ｃ７〜Ｃ１４）脂肪酸エステルと、
エンハンサーと、
を含む抗菌性組成物であって、
該プロピレングリコール（Ｃ７〜Ｃ１４）脂肪酸エステルが６０％より多い量でモノエステルを含む組成物。
【請求項２】
主要量のプロピレングリコール（Ｃ７〜Ｃ１４）脂肪酸エステル入りの第１容器と、
界面活性剤と、
エンハンサーを含む第２容器と、
を含む抗菌性キットであって、
第１容器中の該エステルが６０％より多い量でプロピレングリコール（Ｃ７〜Ｃ１４）脂肪酸モノエステルを含むキット。
【請求項３】
多価アルコールの脂肪酸エステル、多価アルコールの脂肪族エーテル、またはそれらのアルコキシル化誘導体よりなる群から選択された主要量の抗菌性脂質入りの第１容器と、
界面活性剤と、
エンハンサーを含む第２容器と、
を含む抗菌性キット。
【請求項４】
基材を有効量の抗菌性調合物と接触させる工程を含む基材上の微生物レベルの低減方法であって、前記抗菌性調合物が大部分の（Ｃ７〜Ｃ１４）脂肪酸プロピレングリコールエステルと、エンハンサーとを含む方法。
【請求項５】
多価アルコールの脂肪酸エステル、多価アルコールの脂肪族エーテル、またはそれらのアルコキシル化誘導体よりなる群から選択された主要量の抗菌性脂質と、
エンハンサーと、
を含む抗菌性組成物であって、
４℃以上で液体である組成物。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
以下の構造：
Ｏ−（ｘ−Ｌ）ｎ
を含む化合物であって、
Ｏは、ヒトテロメラーゼＲＮＡ配列（配列番号１）に対して相補的な、少なくとも５塩基を含む、オリゴヌクレオチドであり；
ｘは、任意のリンカーであり；
Ｌは、脂質部分であり；
そしてｎは、１〜５の整数であり、ｎ＞１である場合、各々の（ｘ−Ｌ）成分は独立して選択される、化合物。
【請求項２】
請求項１に記載の化合物であって、Ｏは、ヒトテロメラーゼＲＮＡ配列（配列番号１）に対して相補的な、少なくとも１０塩基を含む、化合物。
【請求項３】
請求項２に記載の化合物であって、Ｌは、置換脂肪酸、非置換脂肪酸およびステロールからなる群より選択される脂質を含む、化合物。
【請求項４】
請求項３に記載の化合物であって、Ｌは、フッ素で置換された脂肪酸である、化合物。
【請求項５】
請求項２に記載の化合物であって、Ｌは、置換炭化水素もしくは非置換炭化水素である、化合物。
【請求項６】
請求項５に記載の化合物であって、Ｌは、フッ素で置換された炭化水素である、化合物。
【請求項７】
請求項１に記載の化合物であって、ｎ＝１であり、そして前記ｘ−Ｌ成分は、前記オリゴヌクレオチドＯの５’末端に対して共有結合する、化合物。
【請求項８】
請求項１に記載の化合物であって、ｎ＝１であり、そして前記（ｘ−Ｌ）成分は、前記オリゴヌクレオチドＯの３’末端に対して共有結合する、化合物。
【請求項９】
請求項１に記載の化合物であって、ｎ＝２であり、１つの独立して選択された（ｘ−Ｌ）成分は前記５’末端に共有結合し、そして１つの独立して選択された（ｘ−Ｌ）成分は前記３’末端に共有結合する、化合物。
【請求項１０】
請求項１に記載の化合物であって、ｎ＝１であり、そして前記（ｘ−Ｌ）成分は前記オリゴヌクレオチドＯの核酸塩基に共有結合する、化合物。
【請求項１１】
請求項１に記載の化合物であって、前記オリゴヌクレオチドＯのヌクレオシド間の結合は、Ｎ３’→Ｐ５’ホスホラミデート結合である、化合物。
【請求項１２】
請求項１に記載の化合物であって、前記オリゴヌクレオチドＯのヌクレオシド間の結合は、Ｎ３’→Ｐ５’チオホスホラミデート結合である、化合物。
【請求項１３】
請求項１に記載の化合物であって、オリゴヌクレオチドＯは、ヒトテロメラーゼＲＮＡ配列（配列番号１）に対して相補的な、少なくとも１０塩基を含む、化合物。
【請求項１４】
請求項１に記載の化合物であって：
前記オリゴヌクレオチドＯのヌクレオシド間の結合は、Ｎ３’→Ｐ５’チオホスホラミデート結合であり；
Ｏの配列は、ヒトテロメラーゼＲＮＡ配列（配列番号１）に対して相補的な、少なくとも１２塩基を含み；
ｎ＝１であり；
（ｘ−Ｌ）は、Ｏの５’末端もしくは３’末端に共有結合し；そして、
Ｌは、脂肪酸である、化合物。
【請求項１５】
請求項１４に記載の化合物であって、ｘは、グリセロールリンカーもしくはアミノグリセロールリンカーである、化合物。
【請求項１６】
以下：
【化１】
2007504830.tif 000001
の構造を有する化合物であって、
ここで、「ｎｐｓ」は、あるヌクレオチドの３’炭素を隣接するヌクレオチドの５’炭素に連結しているチオホスホラミデート結合−ＮＨ−Ｐ（＝Ｏ）（ＳＨ）−Ｏ−を示す、化合物、またはその薬学的に受容可能な塩。
【請求項１７】
請求項１４に記載の化合物であって、Ｌは、アミド結合を通じて前記オリゴヌクレオチドＯの３’末端に直接的に結合する、化合物。
【請求項１８】
以下：
【化２】
2007504830.tif 000002
の構造を有する化合物であって、
ここで、「ｎｐｓ」は、あるヌクレオチドの３’炭素を隣接するヌクレオチドの５’炭素に連結しているチオホスホラミデート結合−ＮＨ−Ｐ（＝Ｏ）（ＳＨ）−Ｏ−を示す、化合物、またはその薬学的に受容可能な塩。
【請求項１９】
テロメラーゼ酵素の活性を阻害するための、請求項１に記載の化合物を含む、組成物。
【請求項２０】
テロメラーゼ酵素の活性を阻害するための、請求項１６に記載の化合物を含む、組成物。
【請求項２１】
テロメラーゼ酵素の活性を阻害するための、請求項１８に記載の化合物を含む、組成物。
【請求項２２】
細胞内においてテロメラーゼ酵素の活性を阻害するための、請求項１に記載の化合物を含む、組成物。
【請求項２３】
細胞内においてテロメラーゼ酵素の活性を阻害するための、請求項１６に記載の化合物を含む、組成物。
【請求項２４】
細胞内においてテロメラーゼ酵素の活性を阻害するための、請求項１８に記載の化合物を含む、組成物。
【請求項２５】
請求項２２〜２４のいずれか１項に記載の組成物であって、前記細胞は、癌細胞である、組成物。
【請求項２６】
癌細胞の増殖を阻害するための、請求項１に記載の化合物を含む、組成物。
【請求項２７】
癌細胞の増殖を阻害するための、請求項１６に記載の化合物を含む、組成物。
【請求項２８】
癌細胞の増殖を阻害するための、請求項１８に記載の化合物を含む、組成物。
【請求項２９】
薬学的に受容可能な賦形剤で処方される、請求項１に記載の化合物を含む、薬学的組成物。
【請求項３０】
薬学的に受容可能な賦形剤で処方される、請求項１６に記載の化合物を含む、薬学的組成物。
【請求項３１】
薬学的に受容可能な賦形剤で処方される、請求項１８に記載の化合物を含む、薬学的組成物。
【請求項３２】
医薬の製造のための、請求項１に記載の化合物の使用。
【請求項３３】
医薬の製造のための、請求項１６に記載の化合物の使用。
【請求項３４】
医薬の製造のための、請求項１８に記載の化合物の使用。
【請求項３５】
癌を処置するための医薬の製造のための、請求項１に記載の化合物の使用。
【請求項３６】
癌を処置するための医薬の製造のための、請求項１６に記載の化合物の使用。
【請求項３７】
癌を処置するための医薬の製造のための、請求項１８に記載の化合物の使用。
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
液体を同時に注入および排出しうる、臨床または／および前臨床または／および検査のための内視鏡治療用カテーテルであって、
カテーテルの遠位端部における圧力に対し正圧をかけて注入するための液体が入る、ポンプまたはボトルまたはその他の器具（１４）と近位端部で接続される注入内腔管（２）と、
カテーテルの遠位端部における圧力に対し負圧をかけて液体を収集する、ポンプまたはボトルまたはその他の器具（１５）と近位端部で接続される排出内腔管（１）と、
注入および排出が行われるに介在する、前記カテーテルの遠位端部のフィルタまたは膜組織または格子または網の籠とを備え、
フィルタまたは膜組織または格子または網の籠の内部にあって、フィルタまたは膜組織または格子または網の籠の表面を通じてカテーテル周辺の空間へ注入液を向け、カテーテル遠位端部の生物学的堆積物および結果堆積物を防止し、同時にその動きによりカテーテル周囲の液体の排出を助ける、流体力学的に動作する機器（３）を備えることを特徴とする内視鏡治療用カテーテル。
【請求項２】
らせん形状である流体力学的に動作する機器（３）およびその遠位端部により特徴づけられる、請求項１に記載の内視鏡治療用カテーテル。
【請求項３】
遠位端部において回転動作する流体力学的に動作する機器（３）により特徴づけられる、請求項１および２に記載の内視鏡治療用カテーテル。
【請求項４】
遠位端部において、電気機械的または機械的に動作する、注入内腔および／または機器（３）により特徴づけられる、請求項１、２および３に記載の内視鏡治療用カテーテル。
【手続補正書】
【提出日】平成19年9月8日(2007.9.8)
【手続補正１】
【補正対象書類名】特許請求の範囲
【補正対象項目名】全文
【補正方法】変更
【補正の内容】
【特許請求の範囲】
【請求項１】
下記の処理方法により製造される葡萄風味のナシ状果製品であって、この処理方法は、
アントラニル酸メチル化合物を含む葡萄風味付け用の混合剤を生成する工程と、
ナシ状果の収穫後、前記葡萄風味付け用の混合剤を前記ナシ状果の外果皮へ塗布する工程であって、前記ナシ状果は丸ごとの切られていない果物である、工程と、
前記葡萄風味付け用の混合剤を前記ナシ状果の果皮を経て中果皮に吸収させる工程と、
前記ナシ状果へ葡萄風味を付ける工程と
を有する葡萄風味のナシ状果製品。
【請求項２】
リンゴに葡萄風味を付ける処理方法であって、
アントラニル酸メチルを含む葡萄風味付け用の混合剤を生成する工程と、
丸ごとのリンゴの外果皮に前記葡萄風味付け用の混合剤を塗布する工程と、
前記葡萄風味付け用の混合剤を前記丸ごとのリンゴの果皮を経て中果皮に吸収させる工程と、
前記丸ごとのリンゴに葡萄風味を付ける工程と、
を有する葡萄風味を付ける処理方法。
【請求項３】
葡萄風味のナシ状果製品であって、
果皮に包まれた中果皮と外果皮を含む前記果皮とを有する、ナシ状果と、
前記ナシ状果の外果皮に塗布される混合剤であって、この混合剤はアントラニル酸メチル化合物を含み、前記ナシ状果の果皮から中果皮に吸収されて、前記ナシ状果の中果皮に葡萄風味を付けるものである混合剤と、
を有する葡萄風味のナシ状果製品。
【請求項４】
葡萄風味のリンゴ製品であって、
果皮に包まれた中果皮と外果皮を含む前記果皮とを有する、丸ごとの切られていないリンゴと、
アントラニル酸メチル化合物を含む混合剤であって、前記ナシ状果の外果皮に塗布され、ナシ状果の果皮から中果皮に吸収されて、前記ナシ状果の中果皮に葡萄風味を付けるものである、混合剤と、
を有するものである、葡萄風味のリンゴ製品。
【手続補正２】
【補正対象書類名】明細書
【補正対象項目名】０００４
【補正方法】変更
【補正の内容】
【０００４】
アントラニル酸メチルの他の使用は、Ｋａｒｅの米国特許明細書第２，９６７，１２８号明細書において開示される。多くの鳥は、アントラニル酸メチルに強い嫌悪を有するようである。収穫の前に果樹園でスプレーすると、アントラニル酸メチルの水溶液で鳥を追い払い、作物の損失を大幅に減らすことができる。米国特許第５，２９６，２２６号明細書において記載されるように、これを塗布することによる鳥の忌避効果は、最高１０日間維持できる。鳥用の忌避化合物の製品説明書によると、最後の塗布の後６〜８日以内、または前記製品の香り及び味が消える前は、収穫を行わないように注意する必要がある。
この出願の発明に関連する先行技術文献情報としては、以下のものがある（国際出願日以降国際段階で引用された文献及び他国に国内移行した後に引用または提出された文献を含む）。
【特許文献１】米国特許出願公開第３，５３３，８１０号明細書
【特許文献２】東独国特許出願公開第２９９，８９８号明細書
【特許文献３】米国特許出願公開第５，２９６，２２６号明細書
【特許文献４】米国特許出願公開第４，２９６，１３８号明細書
【特許文献５】米国特許出願公開第３，３８４，４９６号明細書
【特許文献６】米国特許第２，９６７，１２８号明細書
【特許文献７】米国特許第３，００５，７１５号明細書
【手続補正書】
【提出日】平成19年5月12日(2007.5.12)
【手続補正１】
【補正対象書類名】特許請求の範囲
【補正対象項目名】全文
【補正方法】変更
【補正の内容】
【特許請求の範囲】
【請求項１】
切断したＧＲＰ９４ミニシャペロンタンパク質をコード化する核酸。
【請求項２】
請求項１の核酸において、
前記核酸は、配列ＩＤ番号２のアミノ酸３４〜３５５、配列ＩＤ番号２のアミノ酸３４〜２２１、及び配列ＩＤ番号２のアミノ酸７０〜２２１からなる群から選択されたＧＲＰ９４タンパク質変異体をコード化するものである。
【請求項３】
発現ベクター内に含まれる、請求項２の核酸。
【請求項４】
請求項２の核酸によってコード化されたＧＲＰ９４ミニシャペロンタンパク質。
【請求項５】
薬学的に許容可能な担体内に含まれる、請求項４のタンパク質を有する組成物。
【請求項６】
請求項５の組成物であって、さらに、
前記ＧＲＰ９４ミニシャペロンタンパク質と複合体を形成しているペプチドを有するものである組成物。
【請求項７】
請求項６の組成物において、
前記複合体内の前記ペプチドは、少なくとも１つの腫瘍特異的抗原を有するものである。
【請求項８】
請求項６の組成物において、
前記複合体内の前記ペプチドは、少なくとも１つのウイルス抗原を有するものである。
【請求項９】
悪性腫瘍を治療するために、腫瘍組織に対する免疫反応を刺激する方法における、請求項７の組成物の使用。
【請求項１０】
前記感染を治療するために、ウイルス感染に対する免疫応答を刺激する方法における、請求項８の組成物の使用。
【請求項１１】
ホモ接合体ヌル変異をその内在性ＧＲＰ９４遺伝子内に持つトランスジェニックマウス胚であって、
前記変異は、胚性幹細胞内の相同性組換えを介して前記マウスへ導入され、さらに前記マウスは、機能性マウスＧＲＰ９４タンパク質を発現しないものである。
【請求項１２】
請求項１１のトランスジェニックマウスにおいて、
前記ヌル変異は、マウス胚盤胞への胚性幹細胞のマイクロ注入をした後に、胚性段階の前記マウスの祖先へ導入されるものである。
【請求項１３】
請求項１１のトランスジェニックマウス胚において、
前記ヌル変異は、胚性幹細胞を受精卵或いは桑実胚と共−インキュベーションした後に、胚性段階の前記マウスの祖先へ導入されるものである。
【請求項１４】
請求項１１のトランスジェニックマウス胚由来のＧＲＰ９４欠損細胞株。
【請求項１５】
胚性幹細胞株である、請求項１４の細胞株。
【請求項１６】
細胞分化を受けるように導入された、請求項１５の細胞株。
【請求項１７】
請求項１６のＧＲＰ９４欠損細胞株であって、
ニューロン、脂肪細胞、肝細胞、及びリンパ球からなる群から選択された細胞タイプへ分化するように導入されたものである、ＧＲＰ９４欠損細胞株。
【請求項１８】
ＧＲＰ９４活性に選択的に影響する治療薬剤をスクリーニングするための方法であって、
ａ）テスト化合物を請求項１７の細胞、及び野生型マウス胚由来の細胞へ投与する工程と、
ｂ）ＧＲＰ９４関連生理学的過程の変化を、前記ＧＲＰ９４欠損細胞及び野生型細胞において評価し、それにより、ＧＲＰ９４活性を選択的に調節する薬剤を同定する工程と
を有する方法。
【請求項１９】
ＨＳＰ９０ミニシャペロンをコード化する核酸であって、
ヒトＨＳＰ９０のアミノ酸１〜２１０を有し、
少なくとも１つのアミノ酸残基は、別のアミノ酸へ置換されたＴｈｒ９０、Ｉｌｅ８１、Ｐｒｏ８２からなる群から選択されるものである核酸。
【請求項２０】
請求項１９の核酸によってコード化されたＨＳＰ９０ミニシャペロンタンパク質。
【請求項２１】
薬学的に許容可能な担体内に請求項２０のＨＳＰ９０ミニシャペロンを有する薬学的組成物。
【請求項２２】
悪性腫瘍を治療するために、ウイルス感染に対する免疫反応を刺激するための方法における請求項２１記載のの組成物の使用であって、前記組成物は、少なくとも１つの腫瘍特異的抗原を有するものである。
【請求項２３】
前記感染を治療するために、ウイルス感染に対する免疫反応を刺激するための方法における請求項２１記載の組成物の使用であって、前記組成物は、少なくとも１つのウイルス特異的抗原を有するものである。
【手続補正２】
【補正対象書類名】明細書
【補正対象項目名】００１０
【補正方法】変更
【補正の内容】
【００１０】
前述したことに基づいて、免疫過程の調節における、ＧＲＰ９４やそれらの断片によって担われている役割のさらなる解明が必要であることは明らかである。そのような情報によって、癌、ウイルス感染及び他の代謝性障害を治療するための新規ＧＲＰ９４ベース治療法を提供する。
この出願の発明に関連する先行技術文献情報としては次のものがある。
【特許文献１】米国特許出願公開第２００２／０１６０４９６号明細書
【特許文献２】米国特許出願公開第２００２／００３９５８３号明細書
【非特許文献１】リトル．Ｅ（Ｌｉｔｔｌｅ．Ｅ）ら、「標的リボザイムを介したストレス誘導プロモーターによるグルコース調節タンパク質ストレス誘導欠損哺乳類細胞株の生成（Ｇｅｎｅｒａｔｉｏｎ  ｏｆ  ａ  ｍａｍｍａｌｉａｎ  ｃｅｌｌ  ｌｉｎｅ  ｄｅｆｉｃｉｅｎｔ  ｉｎ  ｇｌｕｃｏｓｅ−ｒｅｇｕｌａｔｅｄ  ｐｒｏｔｅｉｎ  ｓｔｒｅｓｓ  ｉｎｄｕｃｔｉｏｎ  ｔｈｒｏｕｇｈ  ｔａｒｇｅｔｅｄ  ｒｉｂｏｚｙｍｅ  ｄｒｉｖｅｎ  ｂｙ  ａ  ｓｔｒｅｓｓ−ｉｎｄｕｃｉｂｌｅ  ｐｒｏｍｏｔｅｒ．）」、Ｊ．Ｂｉｏｌ．Ｃｈｅｍ．、１９９５年、第２７０巻、第１６号、ｐ．９５２６−９５３４
【非特許文献２】ローハー．Ｎ．（Ｒｏｈｅｒ．Ｎ．）ら、「ヒトｇｒｐ９４のＣ末端ドメインによるタンパク質キナーゼＣＫ２（ＣＫ２アルファ）の触媒的サブユニットの熱凝集に対する保護（Ｔｈｅ  Ｃ−ｔｅｒｍｉｎａｌ  ｄｏｍａｉｎ  ｏｆ  ｈｕｍａｎ  ｇｒｐ９４  ｐｒｏｔｅｃｔｓ  ｔｈｅ  ｃａｔａｌｙｔｉｃ  ｓｕｂｕｎｉｔ  ｏｆ  ｐｒｏｔｅｉｎ  ｋｉｎａｓｅ  ＣＫ２（ＣＫ２ａｌｐｈａ）ａｇａｉｎｓｔ  ｔｈｅｒｍａｌ  ａｇｇｒｅｇａｔｉｏｎ．）」、Ｅｕｒ．Ｊ．Ｂｉｏｃｈｅｍ．、２００１年、第２６８巻、ｐ．４２９−４３６
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
遺伝子発現プロファイルを決定する方法において、
ａ）ＲＮＡ試料を提供するステップ；
ｂ）逆転写酵素ポリメラーゼ連鎖反応（ｒｔＰＣＲ）によりＲＮＡ試料のメンバーサブセットを選択的に増幅し、かつＰＣＲ産物セットを生成するステップであって、ｒｔＰＣＲが、少なくとも１つの遺伝子特異的プライマ対を含む反応混合物で実施され、該遺伝子特異的プライマがさらに少なくとも１つの汎用プライミング配列を含むステップ；
ｃ）複数の遺伝子発現産物に対応する核酸メンバーセットを含むアレイを提供するステップであって、前記セットの前記核酸メンバーが前記アレイ内の目立たない物理的場所に位置づけされ、前記セットの少なくとも１つのメンバーが前記ＰＣＲ産物セットのメンバーの少なくとも１つの部分に相補的であるステップ；
ｄ）前記アレイの相補的メンバー核酸に対しメンバーＰＣＲ産物をハイブリッド形成するステップ；
ｅ）前記アレイ内の目立たない物理的場所においてハイブリッド形成されたメンバーＰＣＲ産物を検出し、かくして遺伝子発現プロファイルを決定するステップ、
を含んで成る方法。
【請求項２】
前記ＲＮＡ試料を提供するステップが、細胞培養又は患者からの組織試料からＲＮＡを得るステップを含む、請求項１に記載の方法。
【請求項３】
前記ＲＮＡ試料を提供するステップがさらに対照ＲＮＡ配列を提供するステップを含む、請求項１に記載の方法。
【請求項４】
前記ＲＮＡ試料を増幅させるステップが、メンバーリボ核酸の全体的増幅又はメンバーリボ核酸のサブセットの選択的増幅を実施するステップを含む、請求項１に記載の方法。
【請求項５】
前記少なくとも１つの汎用プライミング配列を含む前記少なくとも１つのプライマがさらに検出可能な部分を含み、かくして検出可能なＰＣＲ産物セットを生成する、請求項１に記載の方法。
【請求項６】
前記汎用プライマが前記ＰＣＲ産物セットの生成に先立って又は前記ＰＣＲ産物セットを生成した後に標識される、請求項５に記載の方法。
【請求項７】
前記遺伝子特異的プライマがさらに少なくとも１つのバーコード配列を含む、請求項１に記載の方法。
【請求項８】
汎用プライミング配列を含む第１の遺伝子特異的プライマ対がさらに第１のバーコード配列を含み、汎用プライミング配列を含む第２の遺伝子特異的プライマ対がさらに第２のバーコード配列を含む、請求項７に記載の方法。
【請求項９】
前記ＲＮＡ試料を増幅させるステップがさらに、２つ以上のＰＣＲ産物対をプールするステップを含む、請求項１に記載の方法。
【請求項１０】
前記アレイがマイクロアレイ、ドットブロットアレイ又は規則配列アレイを含む、請求項１に記載の方法。
【請求項１１】
前記アレイを提供するステップが、核酸の２次元アレイ又は核酸の３次元アレイを提供するステップを含む、請求項１に記載の方法。
【請求項１２】
前記ＲＮＡ試料を提供するステップが、第１の生物学的供給源からの第１のＲＮＡ試料及び第２の生物学的供給源からの第２のＲＮＡ試料を提供するステップを含み、前記アレイの相補的メンバー核酸に対しメンバーＰＣＲ産物をハイブリッド形成するステップが競合的ハイブリダイゼーションを実施するステップを含む、請求項１に記載の方法。
【請求項１３】
前記第１のＲＮＡ試料、前記第２のＲＮＡ試料、又は前記第１及び第２のＲＮＡ試料の両方から生成されたメンバーＰＣＲ産物が標識される、請求項１２に記載の方法。
【請求項１４】
汎用プライミング配列を含む少なくとも１つのプライマが蛍光標識を含み、前記ハイブリッド形成されたメンバーＰＣＲ産物を検出するステップが蛍光標識の強度を判定するステップを含む、請求項１に記載の方法。
【請求項１５】
前記ハイブリッド形成されたメンバーＰＣＲ産物を検出するステップが、前記ハイブリッド形成されたメンバーＰＣＲ産物の相対的量を定量化するステップをさらに含む、請求項１に記載の方法。
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
遺伝的に改変された細胞を含む反応槽であって、
ｉ）図１ａに表される核酸配列を含む核酸分子、
ｉｉ）前記（ｉ）に表される核酸配列に対してハイブリダイズし、且つグリコシルトランスフェラーゼの活性を有するポリペプチドをコードする核酸分子、及び
ｉｉｉ）前記（ｉ）及び（ｉｉ）で規定された核酸配列に対する遺伝子コードから、縮重する核酸配列を含む核酸分子
から成る群から選択される核酸分子を用いて、形質移入又は形質転換により改変される前記細胞、及び前記グリコシルトランスフェラーゼに対する基質である、少なくとも１つの外生的基質を含む、前記細胞の増殖を維持する栄養培地を包含し、
該栄養培地が、ＵＤＰ−グルコースの外生的供給を包含しないことを特徴とする、反応槽。
【請求項２】
前記反応槽がバイオリアクターである、請求項１に記載の反応槽。
【請求項３】
前記反応槽が発酵槽である、請求項１又は２に記載の反応槽。
【請求項４】
前記核酸分子が、厳密なハイブリダイゼーション条件下で、図１ａに提示される核酸配列に対してハイブリダイズする、請求項１〜３のいずれか１項に記載の反応槽。
【請求項５】
前記細胞が、前記核酸分子を含むベクターを用いて形質移入又は形質転換される、請求項１〜４のいずれか１項に記載の反応槽。
【請求項６】
前記細胞が、図１ｂに表されるアミノ酸配列により表されるポリペプチド、又は少なくとも１つのアミノ酸残基の付加、欠失又は置換により改変されかつグリコシルトランスフェラーゼの活性を有する変異ポリペプチドをコードする、核酸分子を用いて形質移入又は形質転換される、請求項１〜５のいずれか１項に記載の反応槽。
【請求項７】
前記核酸分子が、図１ｂで表されるアミノ酸配列に対して少なくとも７５％の同一性を有するアミノ酸配列を含むポリペプチドをコードする、請求項６に記載の反応槽。
【請求項８】
核酸分子を用いて、形質移入又は形質転換されるトランスジェニック細胞であって、該細胞は、
ｉ）図１ａに表される核酸配列から成る核酸分子、
ｉｉ）前記（ｉ）の核酸分子に対してハイブリダイズし、且つ抗酸化物を立体特異的にグルコシル化するグリコシルトランスフェラーゼの活性を有する核酸分子、及び
ｉｉｉ）前記（ｉ）及び（ｉｉ）に規定された核酸配列に対する遺伝子コードから、縮重する核酸配列から成る核酸分子
から成る群から選択される核酸配列を含む核酸分子を用いて、形質移入又は形質転換される、トランスジェニック細胞。
【請求項９】
前記核酸分子が、ストリンジェントなハイブリダイゼーション条件下で、図１ａに提示される核酸配列に対してハイブリダイズする、請求項８に記載の細胞。
【請求項１０】
前記核酸分子が、図１ｂで表されるアミノ酸配列に対して少なくとも７５％の同一性を有するアミノ酸配列を含むポリペプチドをコードする、請求項８又は９に記載の細胞。
【請求項１１】
前記抗酸化物がケルセチンである、請求項８〜１０のいずれか１項に記載の細胞。
【請求項１２】
前記抗酸化物がエスクレチンである、請求項８〜１０のいずれか１項に記載の細胞。
【請求項１３】
前記細胞が真核細胞である、請求項８〜１２のいずれか１項に記載の細胞。
【請求項１４】
前記細胞が、酵母細胞、昆虫細胞、哺乳類細胞又は植物細胞から成る群から選択される、請求項１３に記載の細胞。
【請求項１５】
前記細胞が植物細胞である、請求項１４に記載の細胞。
【請求項１６】
請求項１５に記載の細胞を含む種子。
【請求項１７】
前記細胞が原核細胞である、請求項８〜１２のいずれか１項に記載の細胞。
【請求項１８】
外生的基質をグルコシル化する方法であって、
ｉ）植物グルコシルトランスフェラーゼをコードする核酸分子で形質移入または形質転換によって改変された細胞および反応槽中で前記細胞の増殖を維持する栄養培地を提供すること、
ｉｉ）前記細胞の培養に関連する増殖条件を提供すること、
を含み、前記栄養培地がＵＤＰ−グルコースの外生的供給を包含しない、該方法。
【請求項１９】
前記外生的基質が抗酸化物である請求項１８に記載の方法
【請求項２０】
前記抗酸化剤がケルセチン又はエスクレチンである、請求項１９に記載の方法。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
入力および出力を備えたチャンネル化されたマイクロストリップ伝送構造(80)と、
入力および出力を備え、この入力が前記チャンネル化されたマイクロストリップ伝送構造の出力と電気的に結合されている共面導波体構造(150)と、
前記共面導波体構造の出力と電気的に結合されているかご形トラフライン転移構造(100)と、
入力および出力を備え、その入力がトラフライン転移構造と電気的に結合されているかご形同軸伝送構造(120)とを具備しているＲＦ信号転移システム(90)。
【請求項２】
複数のラジエータを備えたラジエータ層アセンブリ(200A)と、
それぞれが前記複数のラジエータの対応したものと電気的に結合されている複数のサーキュレータを有しているサーキュレータ層(200B)と、
それぞれが前記サーキュレータの１つの対応したポートと電気的に結合されている入力ポートおよび出力ポートとを有している複数の送受信（Ｔ／Ｒ）モジュール(30)と、
１つの入出力（Ｉ／Ｏ）ポートと、前記各Ｔ／Ｒモジュールにそれぞれ接続された複数のＴ／Ｒモジュールポートとを有するＲＦ給電層(200D)とを具備しており、
前記ラジエータ層アセンブリと前記サーキュレータ層は印刷配線板（ＰＷＢ）構造(12)を含む積層にされた多層構造(10)において製造され、前記複数のサーキュレータは前記ＰＷＢ構造中に規定されたスペース(46)内に埋設されているアンテナシステム(200)。
【請求項３】
さらに、前記複数のサーキュレータのそれぞれとラジエータ層アセンブリとの間の電気的な接続を提供するためにＲＦ転移構造を前記積層にされた多層構造内に備えており、前記ＲＦ転移構造は各サーキュレータに対して、
入力および出力を有し、前記入力が前記サーキュレータに電気的に接続されているチャンネル化されたマイクロストリップ伝送線路構造(80)と、
入力および出力を有し、前記入力がチャンネル化されたマイクロストリップ伝送構造の出力と電気的に結合されている共面導波体構造(150)と、
前記共面導波体構造の出力と電気的に結合されているかご形トラフライン転移構造(100)と、
入力および出力を有し、前記入力が前記トラフライン転移構造と電気的に結合されており、マイクロストリップ伝送構造の配向方向に関して横断方向に配置されているかご形同軸伝送構造(120)とを具備している請求項２記載のシステム。
【請求項４】
少なくともチャンネル化されたマイクロストリップ伝送構造と、共面導波体構造と、およびトラフライン転移構造とがコンフォーマルアンテナ構造(10)の一部分中に埋込まれ、前記部分はフレキシブルな層の積層体として構成されている請求項１記載のシステム。
【請求項５】
前記チャンネル化されたマイクロストリップ伝送構造の前記入力は、前記フレキシブルな層の積層体中に埋込まれたサーキュレータ装置(44)に電気的に接続されている請求項４記載のシステム。
【請求項６】
マイクロストリップ伝送構造はほぼ平坦な誘電体基板を含み、その基板の表面上にマイクロストリップ導体が形成され、トラフライン転移構造は、
共面導波体構造の出力と電気的に結合されており、前記表面に対して横断方向に取付けられた導電性のトラフライン信号ポスト(102)と、
トラフライン信号ポストとほぼ平行に延在し、このトラフライン信号ポストをほぼ取囲むように配置されている複数の導電性のトラフライン接地ポスト(104a-104g)とを含んでいる請求項２記載のシステム。
【請求項７】
前記複数のサーキュレータはそれぞれ、前記ＰＷＢ構造内に規定されたエアポケット(46)内に取付けられている請求項２記載のシステム。
【請求項８】
前記チャンネル化されたマイクロストリップ伝送構造は前記エアポケット内に取付けられ、前記複数の接地貫通孔の少なくともいくつかは、マイクロストリップ伝送構造の側壁を規定している請求項１記載のシステム。
【請求項９】
ラジエータ層アセンブリは、バラン層(62)とラジエータアセンブリ層(64)とを含んでいる請求項２記載のシステム。
【請求項１０】
多層フレキシブル積層体を形成している複数の印刷配線板層を含む印刷配線板構造中にＲＦ信号転移構造を形成する方法において、
積層プロセスの前に各印刷配線板に介在している接着層中に貫通孔を予めカットし、積層プロセス中に凝固する導電性材料によってこの接着層中の予めカットされた貫通孔を充填し、
各印刷配線板層中に貫通孔を予めカットし、積層プロセス中に凝固する導電性材料を各印刷配線板層中の予めカットされた貫通孔に充填し、
各貫通孔を取囲むキャッチパッドを各印刷配線板の両面上に形成し、
接着剤層中の貫通孔を各接着剤層の少なくとも１つの面上の各キャッチパッドと整列させることによって、複数の相互接続された埋設された貫通孔を形成するステップを含んでいる方法。